Podtech/llm-jp-corpus-v4-ja_patent huggingface dataset:
(57)【要約】【課題】建設現場で職人が差し金をいつも手元に置いておくためには、作業用ベルトに挟むか腰袋のポケットに差すことだが、このいずれも差し金本体を破損したり、落下により事故の危険性があることや作業の邪魔になることもしばしばあった。  本発明は、差し金を安全にいつも手元に持てる差し金差しを提供する。【解決手段】作業用ベルトと腰袋の間を利用して取付け、差し金を腰袋の対角に収納することを特徴とする差し金差し。【選択図】図５
2016168665.tif 000002
【特許請求の範囲】
【請求項１】
固定用板を作業用ベルトと腰袋の間を貫通させ、固定用板と差し金差し本体の間にちょう番を設け、差し金を腰袋の対角を利用し収納した差し金差し。
【発明の詳細な説明】
【技術分野】
【０００１】  本発明は、建設現場で職人が使用する長さ３００ｍｍの差し金を腰袋に装着できる差し金差しに関するものである。
【背景技術】
【０００２】  従来、差し金はその形状ゆえ持ち歩くには、腰袋と作業用ベルトの間の部分に横向きに差したり、腰袋のポケットなどに縦向きに差すなどしていた。（特許文献の図３及び図４参照）
【発明の概要】
【発明が解決しようとする課題】
【０００３】  職人の必需品である差し金を、現場で持ち歩くためには［書類名］［図面］の［図３］のようにベルトと腰袋の空いた部分に横向きにさすがこの場合差し金の先端が極端にはみ出て足場などにひっかかり曲がってしまったり、抜け落ちる事も多かった、また［図面］の［図４］のように腰袋のポケットなどに縦向きに差すとしゃがんだときに差し金の先端が地面に接触し持ち上がってしまい抜けることもしばしばあり更にクルクルと動いて不安定なため作業の邪魔になっていた。
差し金は正確に９０度に作られており、落下すると角度が狂い正しく使用できなくなる、また高い足場での作業中に落下すれば地面での作業者などに接触する可能性もあり非常に危険である。
本発明は、以上の問題点を解決するためになされたものである。
【課題を解決するための手段】
【０００４】  腰袋と作業用ベルトの間に差し込む為の固定用の板を設け付属のベルトで腰袋に固定し、その板と約４５度角の差し金差しをちょう番により接続し、差し金差しの頭部には市販の道具差しを取り付けるための具を設ける。
以上の構成よりなる差し金差し。
【発明の効果】
【０００５】  従来、持ち運びに非常に不便であった差し金を、本発明により安全かつしっかりと作業の邪魔になること無く殆どの市販の腰袋に固定することができる。
本発明は、１５ｍｍ幅の差し金だけでなく２０ｍｍ幅の差し金にも対応でき、四角い物に対して対角を利用した発想で最小限のスペースで収納できる差し金差しである。
【図面の簡単な説明】
【０００６】
【図１】本発明の斜視図（表面）
【図２】本発明の斜視図（裏面）
【図３】発明が解決しようとする課題（背景技術１）
【図４】発明が解決しようとする課題（背景技術２）
【図５】実際の装着例（本発明の使用例１）
【図６】実際の装着例（本発明の使用例２）
【発明を実施するための形態】
【０００７】  以下、本発明の実施の形態を説明する。
（イ）差し金差し本体（表面）（１）に付属の固定用ベルト（３）を設ける。
（ロ）固定用ベルト（３）には、固定用板（２）と接続するためのホック（１２）を設ける。
（ハ）固定用板（２）の右端にはいかなる幅の腰袋にも装着できるように４段階の固定用ベルト調整穴（７）を設ける。
（ニ）固定用板（２）の左端には差し金差しが足場などに接触すると折れる可能性があり本体が接触時も柔軟に対応できるようにちょう番（５）を設け差し金差し本体（１）と接続する。
（ホ）差し金差し本体（１）の頭部には別売り市販の道具差しを取り付けるための、道具差し取付用具（４）を設ける。
（ヘ）差し金差し本体（裏面）（６）には、本体の板とは違う軟らかい材質のプラスチック板を折り目が付かないように１８０度曲げピンで固定する。
本発明は以上のような構造である。
本発明を使用するときは、腰袋と作業用ベルトの間に固定用板（２）を貫通させその端に設けた調整穴（７）に固定用ベルト（３）を通しホック（１２）で固定する。
差し金は、差し金差し本体（裏面）（６）の上部よりスライドさせて挿入しくの字型に固定される為前かがみになっても抜け落ちることなく取り付けた腰袋の対角を使用することにより作業中も邪魔にならず、差し金を使用する時も誰でも簡単に取り出しやすい構造である。
差し金の形状は、長手直線と短手直線を正確な９０度に調整された基本的に金属で製造されているが、本差し金差しに挿入する際は短手を上向きにして挿入すると短手直線はちょうど脇の下に収まり危険性も無く動きに支障がない。
【符号の説明】
【０００８】  １差し金差し本体（表面）、２固定用板、３固定用ベルト、４道具差し取付用具、５ちょう番、６差し金差し本体（裏面）、７調整穴、８背景技術例１、９背景技術例２、１０本発明の使用例１，１１本発明の使用例２、１２ホック。
【図１】
2016168665.tif 000003
【図２】
2016168665.tif 000004
【図３】
2016168665.tif 000005
【図４】
2016168665.tif 000006
【図５】
2016168665.tif 000007
【図６】
2016168665.tif 000008
(57)【要約】【課題】雨天時に靴等の履物を濡らさずに歩行する為のアイテムとして、袋状の雨合羽が市販されているが、長靴状の形状である為着脱性が悪い。また、装着した際の見栄えが悪く、ファッション性が損なわれてしまう。本考案は、高伸縮性の素材を用いる事により装着性を向上し、ファッション性を損なわずに装着できる履物用雨合羽を提供する。【解決手段】高伸縮性で透明な樹脂シート（ポリウレタンフィルム等）でボート状の靴カバーを形成し、この開口部から履物を挿入させる。前述した靴カバーの一方の側面と後方に板状の樹脂シートを設け、靴カバーに履物を挿入させた後、側面の樹脂シートを反対側の側面まで引っ張って伸ばし、面ファスナーで固定する。この後、後方に取り付けた樹脂シートを足首周りに巻き、面ファスナーで固定する。【選択図】図１
2016168138.tif 000002
【特許請求の範囲】
【請求項１】
高伸縮性で透明な樹脂シートを素材とし、履物を挿入させる部位としてボート状の靴カバーがあり、靴カバーの一方の側面、例えば土踏まず側と靴カバー後方に、
板状の樹脂シートが設けられている履物用雨合羽。
【請求項２】
靴カバー底部と靴カバー袋状部、靴カバー側壁部をつなぐ部位の一部に形状維持用ラバーを設け、足の甲カバー及び足首カバーを固定する為面ファスナーを設けた、請求項１の履物用雨合羽。
【発明の詳細な説明】
【技術分野】
【０００１】
本発明は、雨天時、履物（スニーカー・ハイヒール等）を履いたまま装着する、履物用雨合羽に関するものである。
【背景技術】
【０００２】
雨天時に外出する場合は、サンダル等濡れても良い履物を装着し、目的地に着いたら靴に履き替える等、履物が濡れない様な配慮をしていた。
履物の上から履けるビニール袋の様な雨合羽（特許文献２参照）は市販されているが、実際にそれを装着して外出している人は殆ど見かけない状況。
【先行技術文献】
【特許文献】
【０００３】
【特許文献１】特開２００４−２７５６５６号公報
【特許文献２】実開平０５−０１５８０２号公報
【発明の概要】
【発明が解決しようとする課題】
【０００４】
特許文献1は、衣類もカバーする構造である為着脱性が悪い。また、装着した際の見栄えが悪く、ファッション性が損なわれる。
特許文献2は、長靴状の形状である為着脱性が悪い。また、装着した際の見栄えが悪く、ファッション性が損なわれる。
本発明は、以上の問題点を解決するものである。
【課題を解決するための手段】
【０００５】
高伸縮性で透明な樹脂シートでボート状の靴カバーを形成し、この靴カバーの一方の側面（例えば土踏まず側）下方に板状の樹脂シートを設け、樹脂シートには
面ファスナー凸を設ける。土踏まずと反対側の靴カバー側面には面ファスナー凹を設ける。
靴カバーの後方（アキレス腱側）にも板状の樹脂シートを設け、樹脂シートの正面には面ファスナー凸を設け、樹脂シート背面には面ファスナー凹を設ける。
以上の構成よりなる履物用雨合羽。
【発明の効果】
【０００６】
本発明の履物用雨合羽は、高伸縮性の素材を用いる事により装着性を向上する。また、高伸縮性素材である為履物にフィットし見栄えは良好であり、透明である為
自身の履物が透けて見える為ファッション性が損なわれない。雨天時であっても自分が望む履物を履き、それを濡らさずに外出することができる。
【図面の簡単な説明】
【０００７】
【図１】本発明の斜視図である。
【図２】本発明の平面図である。
【図３】本発明の側面図である。
【図４】本発明を装着した状態の側面図である。
【図５】本発明を装着した状態の、靴カバー袋状部（１）、足の甲カバー（４）、足首カバー（７）の位置関係を見易くした図である。
【発明を実施するための形態】
【０００８】
以下、本発明の実施の形態を説明する。
（イ）図１に示すように、高伸縮性で透明な樹脂シート、例えば材質としてポリウレタンフィルムで形成されたボート状の靴カバーは、靴カバー袋状部（１）、靴カバー側壁部（２）、靴カバー底部（３）から成る。この靴カバーは、ボートの船首に当る位置に靴カバー袋状部（１）があり、ここに靴のつま先を引っ掛ける。ボートの側壁に当る位置には靴カバー側壁部（２）があり、長方形の形をしている。ボートの船底に当る位置には靴カバー底部（３）があり、ロケット状の形をしている。靴カバーの立体的な形状を維持する為、靴カバー底部（３）と靴カバー袋状部（１）、靴カバー側壁部（２）をつなぐ部位の一部にL字形の形状維持用ラバー（１０）を設ける。形状維持用ラバー（１０）は、１辺を靴カバー底部（３）に、もう１辺を靴カバー袋状部（１）または靴カバー側壁部（２）に接着させる。
（ロ）靴カバー側壁部（２）の一方（例えば土踏まず側）の下方に、面ファスナー凸（５）付きの足の甲カバー（４）を設ける。この足の甲カバー（４）の形状は長方形（もしくは扇形）であり、長辺の一辺が靴カバー側壁部（２）に接着しており、靴カバー側壁部（２）に接していない側の長辺の近くに面ファスナー凸（５）を設ける。
（ハ）靴カバー側壁部（２）の土踏まず側と反対側の側面に、面ファスナー凹（６）を設ける。
（ニ）靴カバー側壁部（２）の後方に、面ファスナー凸（８）、面ファスナー凹（９）付きの足首カバー（７）を設ける。この足首カバー（７）の形状は長方形（もしくは扇形）であり、長方形の一角が靴カバー側壁部（２）に接着している。足首カバー（７）の正面側に面ファスナー凸（８）、背面側に面ファスナー凹（９）を設ける。
本発明は以上のような構造である。
【０００９】
本発明を使用するときは、図４に示すように靴を履いたまま、靴カバー袋状部（１）に靴のつま先を引っ掛け、かかとに向かって靴カバーを引っ張って伸ばし、靴のかかと部に引っ掛ける。
次に、足の甲カバー（４）を足の甲を覆うように引っ張って伸ばし、面ファスナー凸（５）と面ファスナー凹（６）を合わせ固定し、足の甲カバー（４）により足の甲側からの雨水侵入を防ぐ。次に、足首カバー（７）を足首に巻くように手前正面に引っ張って伸ばし、面ファスナー凸（８）と面ファスナー凹（９）を合わせ固定し、足首カバー（７）により足首周りからの雨水侵入を防ぐ。
【符号の説明】
【００１０】
１  靴カバー袋状部、２  靴カバー側壁部、３  靴カバー底部、４  足の甲カバー、５  面ファスナー凸、６  面ファスナー凹、７  足首カバー、８  面ファスナー凸、９  面ファスナー凹、１０  形状維持用ラバー
【図１】
2016168138.tif 000003
【図２】
2016168138.tif 000004
【図３】
2016168138.tif 000005
【図４】
2016168138.tif 000006
【図５】
2016168138.tif 000007
(57)【要約】      （修正有）【課題】自動車の室内の高温を下げ、上からの落石事故を防ぐ等エコにも優しい、自動車内高温防止屋根を提供する。【解決手段】車の屋根の上に更に高さ５センチの突起４を設け、その上に断熱材５を設け、前方の風の吸い込み口２から冷えた風を吹き抜け部６を通す事で下屋根７を冷却し車が走ることで更に車内の温度がさがる。【選択図】図３
2016168993.tif 000002
【特許請求の範囲】
【請求項１】
従来の自動車の屋根の上に更に高さ５センチの突起（４）を設けその上に断熱材（５）を設け、前方風の吸い込み口（２）から涼しい風を吹き抜け部（６）通して下屋根（７）を冷却し、車が走ると更に車内の温度が下がる。自動車内高温防止屋根
【発明の詳細な説明】
【技術分野】
【０００１】この発明は自動車の室内の高温を下げ、車内、上からの落石事故等エコにも優しい、自動車内高温防止屋根である。
【背景技術】
【０００２】従来は車の屋根が一重で薄いので直謝日光が強く、外気３０度の場合室内は４５度―４８度にもなり、食料品は勿論腐り、ペット、幼児、ライター火災事故もあり乗った時も暑く大変不愉快であった。
（特許文献１参照）
【先行技術文献】
【０００３】
【特許文献】
【特許文献】特開００００−００００００号会報
【発明の概要】
【発明が解決しようとする課題】
【０００４】車を駐車している時は勿論のこと、車のなかが高温にならなくて、安心して幼児、ペット、食材が置ける低温にし乗った時に快適にしたいし、上からの落石事故も防止したい。
【課題を解決するための手段】
【０００５】従来の自動車の屋根の上に更に高さ５センチの突起（４）を設けその上に断熱材（５）を設け、前方の風の吸い込み口（２）から冷たい風を、吹き抜け部（６）の中を通して下屋根（７）を冷却し車が走ると更に室内の温度が下がる。
【発明の効果】
【０００６】屋根を二重にし断熱することで、室内の温度も下がり，乗車した時も気分も快適で、上からの物の落下も安心できる。
【図面の簡単な説明】
【０００７】
【図１】車の屋根の平面図である。
【図２】車の後部の屋根の側面図である。
【図３】車の横の屋根の側面図である。
【発明を実施するための形態】
【０００８】自動車の屋根の上に高さ５センチの突起（４）を設けその上に断熱材（５）を設け前方の風の吸い込み口（２）から冷えた風を、吹抜け部（６）の中を通して下屋根（７）を冷却し、車が走ると更に室内の温度が下がる。
【符号の説明】（１）上屋根
（２）前方部
（３）後方部
（４）突起部
（５）断熱材
（６）吹抜け部
（７）下屋根
【図１】
2016168993.tif 000003
【図２】
2016168993.tif 000004
【図３】
2016168993.tif 000005
(57)【要約】【課題】剣道具袋は防具と道着や袴などを収納するが、道着と袴は重ねて収納できないサイズの剣道具袋が多く、汗に濡れた剣道着で防具に負担を掛けている。この汗で濡れた道着と袴を剣道防具袋へ無理なく入れ剣道防具への負担を軽減するカバンを提供する。【解決手段】剣道着と袴を折り畳んで分けて入れるように構成された２つの収納部と、２つの収納部を互いに接合する柔軟な布状の接合部とを有している。接合部は、通気性を確保しながらも各収納部の開口部を覆うように構成され接合部には、提げ手が設けられている。分割収納されている状態でも剣道具袋より同時に取り出せ、提げ手で携行するとき、２つの収納部の底面がハの字形に開くのを抑えるため、面ファスナーなどの留め具で仮固定し、内面素材に制菌・抗菌・防臭・消臭素材を使用して汗や臭いも考慮したことを特徴とするカバン。【選択図】図１３
2016168309.tif 000002
【特許請求の範囲】
【請求項１】
一辺のみで接合された２つの収納部を持つカバンへ剣道着と袴を折りたたんで分けて入れ、２つの収納部を正面側と上面側など２辺に開き、剣道防具の入った剣道具袋の空きスペースに無理なく収納する。接合部は蓋と提げ手を兼ね備え、通気性を確保しながらも収納開口部より上面からは中身が見え難い蓋のサイズとして、分割収納されている状態でも剣道具袋より同時に取り出せ、提げ手で携行するとき、２つの収納部の底面がハの字形に開くのを抑えるため、面ファスナーなどの留め具で仮固定し、内面素材に制菌・抗菌・防臭・消臭素材を使用して汗や臭いも考慮したことを特徴とするカバン。
【発明の詳細な説明】
【技術分野】
【０００１】本発明は、剣道具袋の中に入れる剣道着と袴を入れるカバンに関する。
【背景技術】
【０００２】剣道具袋は剣道防具と剣道着や袴などを収納するが、剣道着と袴は重ねて収納できるスペースが確保できない場合が多く、剣道着と袴を分散収納する。【０００３】特に女性は、別室で着替えるとき剣道着と袴を剣道具袋から取り出し携行するので、剣道着と袴を収納できる別のカバンを利用する。【０００４】使用後の汗で濡れた剣道着と袴は剣道具袋へ入れ、使用後の汗に濡れた剣道着や袴で剣道防具に負担を掛けている。
【発明の概要】
【発明が解決しようとする課題】
【０００５】以上のような剣道着や袴のカバンに次のような解決すべき課題があった。【０００６】使用後の剣道着や袴は汗で濡れており、そのまま剣道具袋へ入れると、洗濯が難しい剣道防具に直接汗が触れ負担を掛け痛み易くなるため、汗で濡れた使用後の剣道着や袴と剣道具との衛生面と携行性の改善。
【課題を解決するための手段】
【０００７】本発明は以上のような点を解決するために次のような構成を採用する。【０００８】剣道具袋の制約あるスペースでも従来の方法である剣道着と袴の入れる場所を分けるのと同じ効果が保てる２辺へ分割できる剣道着、袴を収納するカバン。【０００９】通気性を保持し、内面に制菌・抗菌・防臭・消臭素材を使用するカバン。
【発明の効果】
【００１０】本発明の剣道着・袴のカバンは次のような効果がある。【００１１】剣道具袋の制約あるスペースに収納できるので携行性が保てる。【００１２】使用後の剣道着・袴の汗と剣道防具との直接接触を避けられ制菌・抗菌・防臭・消臭でき剣道防具への負担の軽減ができる。【００１３】剣道着・袴を剣道具袋から同時に取り出せ携行できる。
【図面の簡単な説明】
【００１４】
【図１】正面図
【図２】背面図
【図３】右側面図
【図４】左側面図
【図５】平面図
【図６】底面図
【図７】分割収納時の形態例側面図
【図８】展開側面図
【図９】展開中面図
【図１０】展開平面図
【図１１】使用状態を示す参考図
【図１２】斜視図
【図１３】分割収納時の使用状態を示す参考図
【図１４】剣道具袋収納時の使用状態を示す参考図
【図１】
2016168309.tif 000003
【図２】
2016168309.tif 000004
【図３】
2016168309.tif 000005
【図４】
2016168309.tif 000006
【図５】
2016168309.tif 000007
【図６】
2016168309.tif 000008
【図７】
2016168309.tif 000009
【図８】
2016168309.tif 000010
【図９】
2016168309.tif 000011
【図１０】
2016168309.tif 000012
【図１１】
2016168309.tif 000013
【図１２】
2016168309.tif 000014
【図１３】
2016168309.tif 000015
【図１４】
2016168309.tif 000016
(57)【要約】【課題】書物や書類の大きさや厚さや重さにかかわらず適度な傾斜を形成でき、また携帯可能でそのまますぐ使用できる書見台を提供する。【解決手段】本発明は、ゴムと同等の弾性を有し接地面に対し１１０度から１４０度の範囲の開口部を設けた書見台であり、書物や書類の大きさや厚さや重さに応じて載置のありようを変えることにより適度な傾斜を形成し、また必要に応じクリップを用いて書物を開ページ状態に保持したり書類のずり落ちを防止したりする。手のひらサイズで傾斜を形成する効果が得られ、弾性を有するため携帯して使用する際に折り畳みの解除や組み立て作業なしにそのまま使用できる。【選択図】図１
2016168308.tif 000002
【特許請求の範囲】
【請求項１】
ゴムと同等の弾性を有する弾性体であって、接地面に対し１１０度から１４０度の範囲の開口部を有することを特徴とする書見台。
【請求項２】
請求項１記載の書見台において、クリップを有することを特徴とする書見台。
【発明の詳細な説明】
【技術分野】
【０００１】  この発明は、書見台の形状に関する。
【背景技術】
【０００２】  従来の書見台は、書物や書類を背面から支える支持体に立てかける形状のものであり、様々な書物や書類のサイズで開ページ状態を保持できる技術が提案されている。
【先行技術文献】
【特許文献】
【０００３】
【特許文献１】特開２０００−１３９６７９号公報
【特許文献２】特開２００３−２５９９１９号公報
【発明の概要】
【発明が解決しようとする課題】
【０００４】  しかしながら、以上の技術によれば、書物や書類の転倒防止のために大型化したり、携帯可能なものでも書物や書類の形態によって載置物に制約があったり、また折り畳みの解除や組み立て作業を要するという問題があった。本発明は、書物や書類の大きさや厚さや重さにかかわらず適度な傾斜を形成でき、また携帯可能でそのまますぐ使用できる書見台を提供することを課題とする。
【課題を解決するための手段】
【０００５】  上記課題を解決するために、第一発明は、書物や書類の大きさや厚さや重さに応じ載置のありようを変えて適度な傾斜を確保するために、接地面に対し１１０度から１４０度の範囲の開口部を設けたゴムと同等の弾性を有する弾性体であることを特徴とする書見台である。書物や書類の載置のありようを選択調整することでバランスをとるため、手のひらサイズで機能する。
また、第二発明は、書物や書類の重心を調整しバランスをとるため、もしくは書物や書類を開ページ状態で拘束するため、もしくは書物や書類の分散や下降へのずり落ち防止のため、またはそれら複数の目的で使用する補助具としてクリップを有することを特徴とする書見台である。
【発明の効果】
【０００６】  第一発明、または第二発明によれば、次のような効果を奏する。
請求項１に記載されている発明は、ゴムと同等の弾性を有する弾性体であって、接地面に対し１１０度から１４０度の範囲の開口部を有することを特徴とする書見台であるため、書物や書類の大きさや厚さや重さ、および書物内における開くページの場所やページが閉じようとする力に応じて、書見台に載置する位置を選択調整することによって、手のひらサイズで適度な傾斜を形成することができる。
請求項２に記載されている発明は、請求項１記載の書見台において、分離したクリップを有することを特徴とする書見台であるため、書物や書類を開いた状態で載置する時、必要に応じクリップを用い左右や上下のバランスをとって開ページ状態を保持したり、書物や書類の分散や下降へのずり落ちを防止したりすることができる。
また、上記書見台は弾性を有するため、携帯して使用する際に折り畳みの解除や組み立て作業が不要でそのまま使用でき、また移動運搬による破損や使用中のけが等を防止することができる。
【図面の簡単な説明】
【０００７】
【図１】この発明の形態に係る斜視図である。
【図２】この発明の形態に係る正面図である。
【図３】この発明の形態に係る側面図である。
【図４】この発明の一実施形態を示す正面図である。
【図５】この発明の一実施形態を示す斜視図である。
【図６】この発明の一実施形態を示す斜視図である。
【図７】この発明の一実施形態を示す斜視図である。
【図８】この発明の一実施形態を示す正面図である。
【発明を実施するための形態】
【０００８】  この発明の一実施形態を、図１に示す。
この書見台（１）は、ゴムと同等の弾性を有する弾性体であって、机等の接地面に対し１１０度から１４０度の範囲の斜度で開いた開口部（２）を有する。
書物や書類を載置して傾斜を得る場合、書物や書類の大きさや厚さや重さ等によって、下端部が開口部（２）の内部に入る場合と、外部に出て卓上に接する場合と、外部に出て宙にある場合とがある。
クリップ（３）は補助具であり、載置する書物や書類の重心を調整しバランスをとるため、もしくは書物や書類を開ページ状態で拘束するため、もしくは書物や書類の分散や下降へのずり落ち防止のため、またはそれら複数の目的で使用する。
この発明の一実施形態を、図４に示す。
図４は、文庫本を載置して使用している状態を示している。本の下端部は書見台（１）  の開口部（２）内に入っており、２個のクリップ（３）でページを挟んで開ページ状態を保持している。手帳等を載置する場合も同様の効果が得られる。
この発明の一実施形態を、図５に示す。
図５は、Ａ４サイズの書類の束を載置して使用している状態を示している。書類の下端部は卓上に接しており、１個のクリップ（３）で束を挟んで傾斜を保持している。
この発明の一実施形態を、図６に示す。
図６は、Ｂ５判ハードカバーの書物を載置して使用している状態を示している。本の下端部は卓上に接しており、２個のクリップ（３）でページを挟んで開ページ状態を保持している。Ａ４判の雑誌等でも同様の効果が得られる。
この発明の一実施形態を、図７に示す。
図７は、Ｂ５サイズの書類１枚を載置して使用している状態を示している。書類の下端部は卓上に接することなく宙にある状態で傾斜を保持している。はがき等でも同様の効果が得られる。
この発明の一実施形態を、図８に示す。
図８は、レシート数枚を重ねて載置して使用している状態を示している。書類の下端部は書見台（１）の開口部（２）内に完全に入っており、上記図４から図７の実施形態より傾斜の角度が急である。携帯用電子端末等を用いても同様の効果が得られる。
【産業上の利用可能性】
【０００９】上記書見台は、書物や書類に限らず、携帯用電子端末やリモコン装置等のスタンドとして利用することができる。
【符号の説明】
【００１０】１  書見台                          ２  開口部
３  クリップ
【図１】
2016168308.tif 000003
【図２】
2016168308.tif 000004
【図３】
2016168308.tif 000005
【図４】
2016168308.tif 000006
【図５】
2016168308.tif 000007
【図６】
2016168308.tif 000008
【図７】
2016168308.tif 000009
【図８】
2016168308.tif 000010
(57)【要約】      （修正有）【課題】容器で栽培されたコケ植物であって、バラバラにならず、屋上、屋根、壁面等に貼り付けるときに労力を必要とせず、貼り付けたコケ植物は風雨等の影響を受けにくい、コケ植物の栽培方法を提供する。【解決手段】容器内１に通水性のシート２を敷き、その上に生育基盤剤３を平に敷き詰め、その上にコケ植物４を蒔きゴケ法を用いて植え、その上からネット５を被せて、コケ植物を栽培する。【選択図】図１
2016168034.tif 000002
【特許請求の範囲】
【請求項１】
容器内に各種のコケ植物に適した生育基盤材を平に敷き詰め、その上にコケ植物の蒔きゴケ法を実施し、又、その上にネットを被せたことからなるコケ植物の栽培方法。
【請求項２】
容器内に各種のコケ植物に適した生育基盤材を平に敷き詰め、その上にネットを被せ、又、その上にコケ植物の蒔きゴケ法を実施したことからなるコケ植物の栽培方法。
【請求項３】
容器内に各種のコケ植物に適した生育基盤材を平に敷き詰め、その上にコケ植物の蒔きゴケ法を実施し、コケ植物が発芽し成長し一個の個体と成った時期にネットを被せたことからなる栽培方法。
【請求項４】
請求項１、２又は３に記載の容器は育苗箱及び園芸用カゴトレーである。
【請求項５】
請求項１、２又は３に記載のコケ植物は、日当たりの良い場所、又は、日陰の場所で生育するギンゴケ、スナゴケ、ツボゴケ、コツボチョウチンゴケ、ホソウリゴケ、ハイゴケ、チジミバコブゴケ、カモジゴケ、ナミシッポゴケ、シッポゴケ、オオシッポゴケ等の蘚類からなるコケ植物である。
【請求項６】
請求項１、２又は３に記載の生育基盤剤は、鹿沼土、川砂、山砂、腐葉土、埴壌土、砂壌土、樹皮培養土、ピートモス等からなる生育基盤材である。
【請求項７】
請求項１、２又は３に記載のネットは農業、又は園芸で使用する防風ネット、防虫ネット、又は鉢底ネットである。
【発明の詳細な説明】
【技術分野】
【０００１】  屋上、屋根又は壁面等に容易に貼り付けられるコケ植物の栽培方法。
【背景技術】
【０００２】  屋上、屋根又は壁面等に使用されるコケ植物は育苗箱、カゴトレー等に生育基盤材を入れて栽培されている。
【発明の概要】
【発明が解決しようとする課題】
【０００３】発明が解決しようとする問題点は。
（イ）容器からコケ植物を取り出すときバラバラになり、屋上、屋根又は壁面等に貼り付けるときに大変な労力が必要である。
（ロ）コケ植物の仮根は弱く、又、仮根と仮根が絡み合うことが無いので、貼り付けたコケ植物は雨風等で流失してしまう。
【問題を解決するための手段】
【０００４】  本発明は、以上の問題を解決するために、請求項１に記載のように、容器内に各種のコケ植物に適した生育基盤材を平に敷き詰め、その上にコケ植物の蒔きゴケ法を実施し、又、その上にネットを被せたことからなるコケ植物の栽培方法を提供するものである。
【０００５】    本発明は、以上の問題を解決するために、請求項２に記載のように、容器内に各種のコケ植物に適した生育基盤材を平に敷き詰め、その上にネットを被せ、又、その上にコケ植物の蒔きゴケ法を実施したことからなるコケ植物の栽培方法を提供するものである。
【０００６】  本発明は、以上の問題を解決するために、請求項３に記載のように、容器内に各種のコケ植物に適した生育基盤材を平に敷き詰め、その上にコケ植物の蒔きゴケ法を実施し、コケ植物が発芽し成長し一個の個体と成った時期にネットを被せたことからなる栽培方法を提供するものである。
【０００７】  本発明は、以上の問題を解決するために、請求項１、２又は３に記載の容器は育苗箱及び園芸用カゴトレーからなる容器を提供するものである。
【０００８】  本発明は、以上の問題を解決するために、請求項１、２又は３に記載の生育基盤剤は、鹿沼土、川砂、山砂、腐葉土、埴壌土、砂壌土、樹皮培養土、ピートモス等からなる生育基盤材を提供するものである。
【０００９】  本発明は、以上の問題を解決するために、請求項１、２又は３に記載のネットは農業、又は園芸で使用する防風ネット、防虫ネット、又は鉢底ネットからなるネットを提供するものである。
【発明の効果】
【００１０】  （イ）ネットを使用することにより、コケ植物の仮根が絡み合わなくともバラバラにならないので、容器から取り出すとき容易である。
（ロ）ネットを使用することにより、コケ植物がマット状になっているので、屋上、屋根、壁面に貼り付ける場合には容易であり、風雨よる流失の害を最小限に止める事ができる。
（ハ）ネットの材質はビニール系の素材で出来ているので、腐敗することなく長く強度を保つことができので、貼り付けたコケ植物を長期間安定して保つことができる。
【図面の簡単な説明】
【００１１】
【図１】容器に生育基盤材を平に敷き詰め、その上にコケ植物の蒔きゴケ法を実施して、又、その上にネットを被せた断面図である。
【図２】容器に生育基盤材を平に敷き詰め、その上にネットを被せ、又、その上にコケ植物の蒔きゴケ法を実施した断面図である。
【図３】容器に生育基盤材を平に敷き詰め、その上にコケ植物の蒔きゴケ法を実施して、コケ植物が発芽し成長し一個の個体と成った時期にネットを被せた断面図である。
【００１２】  以下、本発明実施に元づいて説明する。
【実施例１】  図１は本発明方法の断面図である。１は容器、２は通水性のシート、３は生育基盤材、４は蒔きゴケ法に使用したコケ植物体、５はネットである。
本発明方法は、容器１に通水性のシート２を敷き、その上に生育基盤剤３を平に敷き詰める、その上にコケ植物体４の蒔きゴケ法を実施する、又、その上にネット５を被せる。【００１３】  コケ植物の種類は、スナゴケを使用した。蒔きゴケ法に使用したコケ植物は、生態をそのまま使用しコケ植物の体長は約２〜４ｃｍで使用量は１０ｃｍ２当り約２０体から３０体蒔いた。容器はカゴトレーで厚さは約５ｃｍの物を使用した。通水性のシートは、防草シートを使用し４方側面を４ｃｍ位立ち上がるように敷き、コケ植物体及び生育基盤剤が雨水等で流されないよう設定した。生育基盤材は川砂を使用し敷き詰めた川砂の厚さは約３ｃｍとした。その上に被せたネットは、防風ネットを使用しサイズは容器のサイズに合わせて被せた。
実施場所は、日当たりの良い平らな面で行う。カゴトレーの上に寒冷紗を被せ遮光した。
実施期間は、３月上旬から１１月下旬までを生育期間とした。
生育管理は３月上旬から４月下旬頃までに１週間に１度位を目安に、雨の無い時に散水を行う以後は自然まかせで行う。
本発明は、以上のようなネットを使用したコケ植物の栽培方法である。
【産業上の利用可能性】
【００１４】  建物の屋上、屋根、壁面に貼り付けることが可能である。又、屋内でのアートとして利用できる。
都市の緑化はもとより、ヒートアイランド現象を防ぐことができる。
【符号の説明】１  容器
２  通水性のシート
３  生育基盤材
４  コケ植物体
５  ネット
【図１】
2016168034.tif 000003
【図２】
2016168034.tif 000004
【図３】
2016168034.tif 000005
(57)【要約】      （修正有）【課題】粉チーズが固まることなく、使いたい時に使いたい分量の粉チーズをふりかけることができる粉チーズの供給容器を提供する。【解決手段】粉チーズの供給容器に固まり防止玉（鉄もしくはガラス製など）を入れることで、粉チーズが固まることなく、使いたい時に使いたい分量の粉チーズをふりかけることを実現する。【選択図】図１
2016010665.tif 000002
【特許請求の範囲】
【請求項１】
固まった粉チーズを振ってバラバラにするための防止玉を粉チーズの供給容器に入れること。
【発明の詳細な説明】
【技術分野】
【０００１】  この発明は、粉チーズの供給容器に関するものである。
【背景技術】
【０００２】  開封してから時間が経つと、容器の中で粉チーズが固まってしまうことがある。【０００３】  固まってしまうと中の粉チーズが出てこないことがある。【０００４】  そのため、使いたい時に使いたい分量の粉チーズが出てこないという欠点がある。
【先行技術文献】
【特許文献】
【０００５】
【特許文献１】特許出願平９−３５７７００  特許公開平１１−１８７８５８
【発明の概要】
粉チーズの供給容器に固まり防止玉（鉄もしくはガラス製など）を入れることで、粉チーズが固まることなく、使いたい時に使いたい分量の粉チーズをふりかけることを実現する。
【発明が解決しようとする課題】
【０００６】  粉チーズが固まることなく、使いたい時に使いたい分量の粉チーズをふりかけることができる効果を設定する。
【課題を解決するための手段】
【０００７】  以上の課題を解決するため、本発明は粉チーズの供給容器に固まり防止玉を入れ、容器を振ることで固まっていた粉チーズがバラバラになり、使いたい時に使いたい分量の粉チーズをふりかけることができる。
【発明の効果】
【０００８】  本発明は、粉チーズの供給容器に固まり防止玉を入れるものである。【０００９】  粉チーズの供給容器に固まり防止玉を入れると、容器を振った際に固まっていた粉チーズと玉がぶつかる。【００１０】  ぶつかると、固まっていた粉チーズがなバラバラになる。【００１１】  バラバラになると使いたい分量の粉チーズを容易にふりかけることができる。
【図面の簡単な説明】
【００１２】
【図１】図１は粉チーズ供給容器に固まり防止玉が入った図である。
【発明を実施するための形態】
【００１３】  使いたい時に使いたい分量の粉チーズをふりかけるという目的を、粉チーズの供給容器に固まり防止玉を入れることにより実現した。
【図１】
2016010665.tif 000003
(57)【要約】      （修正有）【課題】トイレなどの狭いスペースでは下駄箱等を置く事が出来ない為、床置きにしているスリッパが乱雑に置かれている事が多いので、これを解決する。【解決手段】スリッパと同様の形状の穴２が敷物１に開いていることで、穴が開いている場所にスリッパを戻す心理が働き、整頓を促す効果がある。【選択図】図１
2016010667.tif 000002
【特許請求の範囲】
【請求項１】
整頓したい物を置くための穴が開いていることを特徴とする敷物である。
【請求項２】
整頓したい物と同様の形状の穴が開いていることを特徴とする敷物である。
【発明の詳細な説明】
【技術分野】
【０００１】この発明は、整頓したい物（スリッパなど）の下に敷く敷物の形状に関する。
【背景技術】
【０００２】従来、スリッパ等を整頓する場合、下駄箱等を使用している。
【発明の概要】
【発明が解決しようとする課題】
【０００３】しかしながら、以上の技術によれば、設置スペースを必要とし、狭いスペースでは下駄箱等を置くことが出来ない。
その為、床置きにしているスリッパ等が乱雑に置かれている事が多い。  そこで、この発明は、省スペースでスリッパ等の整頓を促す敷物を提供することを課題とする。
【課題を解決するための手段】
【０００４】以上の課題を解決するために、第一発明は、
整頓したい物を置くための穴が開いていることを特徴とする敷物である。
また、第二発明は整頓したい物と同様の形状の穴が開いていることを特徴とする敷物である。
【発明の効果】
【０００５】第一発明、第二発明によれば、整頓したい物と同じ形状の穴が敷物に開いていることで、一度使用した物を穴に戻す心理が働き、整頓を促す効果がある。
【図面の簡単な説明】
【０００６】
【図１】この発明の一実施形態を示す正面図である。
【発明を実施するための形態】
【０００７】この発明の一実施形態を、図１に示す。  敷物１に整頓したい物に合わせた、穴２が設けられている。
【０００８】「実施形態の効果」  この実施形態によれば、
敷物１に穴２が開いていることで、使用した物を穴２に戻す心理が働き、整頓を促す。「他の実施形態」図１の実施形態では、穴２はスリッパの形状をしているが、他の実施形態では、穴の形状や数は整頓したい物に合わせたものでも良い。
【符号の説明】
【０００９】１  敷物      ２  穴
【図１】
2016010667.tif 000003
(57)【要約】【課題】  ヘタと芯を取り除くときに用いる、包丁では、危険もともない、イチゴ本体もぐるりと回して取るため、多少の傷みも生じ、見た目にも技術が必要である。  本発明は、以上の問題点を解決するためになされたものである。【解決手段】空洞の半円球の切れ目の一箇所に棒を取付け、スプーン状にしたもので、半円球の切れ目の部分には果肉を切るほどの鋭利な刃物状にする。  以上の構成によりなるヘタと同時に芯を取る器具。【選択図】図１
2016010666.tif 000002
【特許請求の範囲】
【請求項１】
空洞の半円球の切れ目の一箇所に棒を取付け、スプーン状に設け、半円球の切れ目の部分には果肉を切るほどの鋭利な刃物状を設けた、ヘタと芯取り器具。
【発明の詳細な説明】
【技術分野】
【０００１】  本発明は、野菜のイチゴのようにヘタと芯取り器具に関するものである。
【背景技術】
【０００２】  従来、イチゴのヘタと芯を取り除くには、ヘタを持って実の部分だけを食べるか、包丁のようなもので切り込みを入れて、取り除いていた。
【発明の概要】
【発明が解決しようとする課題】
【０００３】  野菜等のヘタと芯を取り除くときに用いる時、包丁では、危険がともない、イチゴ本体もぐるりと回して取るため、多少の傷みも生じ、見た目にも悪く、取り除くための技術が必要であった。
本発明は、以上の問題点を解決するためになされたものである。
【課題を解決するための手段】
【０００４】  空洞の半円球の切れ目の一箇所に棒を取付け、スプーン状にしたもので、半円球の切れ目の部分には果肉を切るほどの鋭利な刃物状にする。
以上の構成によりなるヘタと同時に芯を取る器具。
【発明の効果】
【０００５】  従来面倒なヘタ取りを、簡単にすばやくヘタと芯も同時に取り除くことができる。
本発明は、イチゴだけではなく、トマトのヘタやじゃがいもの芽なども安全に取り除けることができる。
【図面の簡単な説明】
【０００６】
【図１】  本発明の斜視図
【図２】  本発明の断面図
【図３】  本発明の真上から見た平面図
【発明を実施するための形態】
【０００７】  以下、本発明の実施の形態を説明する。
（イ）空洞の半円球の切れ目の一箇所に棒を取付け、スプーン形（３）にする、スプーン状の部分取り除き具のスプーン形（３）の先の部分は空洞半円球形（４）に設け。円球の半分の部分刃部（１）の全体部分の空洞半円球形（４）の切れ目約円周部分を鋭利な刃物状にする。付け根（６）部分は鋭利ではなくて良い。
（ロ）穴（２）の部分は穴が空いており、調理途中や使用が終了した際に、衛生的に引っ掛けておくのに便利な穴である。
（ハ）空洞半円球形（４）の部分は半円球になっていて、中は空洞になって、ヘタや芯を取り除いた部分をより収納しやすいポケットになっている。
（ニ）図２に示すように付け根（６）部分は空洞半円球形（４）の部分に対してスプーン持ち手部分（５）はやや斜めにしてある。
本発明は以上のような構造である。
【０００８】  本発明を使用するときは、空洞半円球形（４）の部分をイチゴのヘタを覆い被せるように、スプーン形（３）の全体から見て刃部（１）の先端箇所をヘタをよけるように果肉に当てて果肉にえぐり込み、彫るようにスプーン持ち手部分（５）を空洞半円球形（４）を中心に円を描くように回します、このときヘタを救うようにします、ヘタ全体が空洞半円球形（４）の中にヘタの芯ごと入ります、刃部（１）の全体が果肉から出たときに、スプーンを引き上げると、力も要せずに、簡単にヘタをきれいに取り除くことができます、また、取り除いたヘタをスプーンから取り除く場合はヘタを持つなどして、簡単に捨てることができます。
【符号の説明】
【０００９】１刃部、２穴、３スプーン形、４空洞半円球形、５スプーン持ち手部分、６付け根
【図１】
2016010666.tif 000003
【図２】
2016010666.tif 000004
【図３】
2016010666.tif 000005
(57)【要約】【課題】リュックを背負ったままタブレット端末を出し入れできる、タブレット端末対応リュックを提供する。【解決手段】リュックの側面に開口部を持つ、タブレット端末用のポケットを設け、リュックを背負ったままタブレット端末を出し入れできるようにした、タブレット端末対応リュック。【選択図】図１
2016010521.tif 000002
【特許請求の範囲】
【請求項１】
リュックの側面に開口部を持つタブレット端末用のポケットを設け、リュックを背負ったままタブレットを出し入れできるようにした、タブレット端末対応リュック。
【請求項２】
リュックの側面に開口部を持つタブレット端末用のポケットを設け、あらかじめタブレット端末をタブレット端末ケースに入れ、リュックを背負ったままタブレットを出し入れできるようにした、タブレット端末対応リュック。
【発明の詳細な説明】
【技術分野】
【０００１】
本発明は、リュックの側面に開口部を持つ、タブレット端末用のポケットを設け、リュックを背負ったままタブレット端末を出し入れできるようにした、タブレット端末対応リュックに関するものである。
【背景技術】
【０００２】
従来、上部に開口部をもつタブレット端末用ポケットつきのリュックがあった。
【発明の概要】
【発明が解決しようとする課題】
【０００３】
次のような問題点があった。
（イ）タブレット端末をリュックに格納した場合、タブレット端末を出し入れする際には、リュックを背中から下ろす必要があった。
本発明は、以上の問題点を解決するためになされたものである。
【課題を解決するための手段】
【０００４】
リュックの側面に開口部を持つタブレット端末用のポケットを設け、リュックを背負ったままタブレットを出し入れできるようにした。
【発明の効果】
【０００５】
リュックに格納したタブレット端末を出し入れする場合、リュックを背中から下ろす必要がなくなる。
【図面の簡単な説明】
【０００６】
【図１】本発明の、リュック（１）にタブレット端末ケース（２）を途中まで入れた状態の斜視図である。
【図２】本発明の、リュック（１）にタブレット端末ケース（２）を入れた状態の断面図である。
【図３】本発明の、リュック（１）にタブレット端末ケース（２）を入れた状態の断面図である。
【図４】本発明の、タブレット端末ケース（２）なしの場合の、リュック（１）にタブレット端末（３）を入れた状態の断面図である。
【発明を実施するための形態】
【０００７】
以下、本発明の実施の形態について説明する。
（イ）リュック（１）の側面に開口部をもつポケット（１ａ）を設ける。ポケット（１ａ）は、タブレット端末（３）を保護するために、また、リュック（１）内のほかに荷物でポケット（１ａ）が変形しないように、さらに、背負ったままファスナー（１ｂ）を開けたときにリュック（１）が型崩れしないような強度を持つ。
（ロ）タブレット端末ケース（２）は、タブレット端末ケース（２）にタブレット端末（３）を入れた状態で使用できるようにするため、画面は外から操作できるもので覆うか露出させる。また、ボタン、マイク、スピーカー、コネクタも覆わないようにする。
（ハ）タブレット端末ケース（２）がポケット（１ａ）からずれ落ちないように、ストッパー（２ｃ）を設ける。ストッパー（２ｃ）は、ストッパー解除ボタン（２ｂ）により解除できる。
（ニ）雨水からタブレット端末（３）を保護するため、開口部にファスナー（１ｂ）を設ける。
（ホ）タブレット端末ケース（２）なしの場合は、ストッパー（２ｃ）の代わりに、ポケット（１ａ）の入り口の下部を盛り上げて滑り落ちないような構造が望ましい。
本発明を使用するときは、あらかじめタブレット端末（３）をタブレット端末ケース（２）に入れておき、リュック（１）を背負ったまま、取っ手（２ａ）を持って、タブレット端末ケース（２）をポケット（１ａ）に入れ、ファスナー（１ｂ）を閉める。
タブレット端末（３）をポケット（１ａ）から出すときは、ファスナー（１ｂ）を開け、ストッパー解除ボタン（２ｂ）を押しながら、取っ手（２ａ）を持って引き出す。タブレット端末ケース（２）に入ったままでタブレット端末（３）を使用することできる。
【符号の説明】
【０００８】
１    リュック
１ａ  ポケット     
１ｂ  ファスナー
２    タブレット端末ケース
２ａ  取っ手
２ｂ  ストッパー解除ボタン
２ｃ  ストッパー
３    タブレット端末
【図１】
2016010521.tif 000003
【図２】
2016010521.tif 000004
【図３】
2016010521.tif 000005
【図４】
2016010521.tif 000006
(57)【要約】      （修正有）【課題】禁煙の進捗状況を判断し、禁煙への動機づけを高め、禁煙の訓練を目的とした禁煙忍耐力の訓練および禁煙忍耐力評価システムを提供する。【解決手段】スマートフォンに秒数カウントのためのカウントスタートボタン１と、カウントストップボタン２と、経過秒数カウント画面３と、カウントゲージ４を設け、禁煙忍耐力表を用いて、データを記録、計算、比較するなどの分析を行い、経過秒数を忍耐力に変換する方程式を用いて、数値の推移やグラフを提示する機能を設ける。【選択図】図１
2016081487.tif 000002
【特許請求の範囲】
【請求項１】
スマートフォンのアプリケーションを利用して、喫煙欲求の発生から消失までの時間を計測し、禁煙忍耐力表を用いてそのデータを記録、計算、比較するなどの分析を行い、喫煙欲求への忍耐力の強さを判断するとともに、喫煙欲求に対する忍耐力を向上させる禁煙支援装置。
【発明の詳細な説明】
【技術分野】
【０００１】  本発明は、禁煙の進捗状況を判断することや禁煙への動機づけを高めること、禁煙の訓練を目的とした喫煙欲求への忍耐力計測・管理に関するものである。
【背景技術】
【０００２】  従来、禁煙の成否は禁煙者の意識の高さに起因させることが多く、禁煙への意欲を持ち続けるのは強い意志に依存することが一般的である。禁煙への動機づけを高めるためにはグループセラピーや禁煙外来という専門家による指導も行われている。また、ニコチンの禁断症状を和らげるためのガムやパッチが知られている。
なお、プログラムを起動するとデータベースのあらかじめ選択された選択肢から選ばれた喫煙欲求をそらすためのメッセージが表示されるものがある（特許文献１参照）。
また、喫煙欲求を予測したときにプログラムが起動し喫煙を牽制するメッセージが表示されることを特徴とする禁煙支援装置がある（特許文献２参照）。
１日の終了時点で、欲求を感じた回数とその欲求度により、喫煙欲求度数の総和を算出する。毎日の喫煙欲求度数の総和を集計して、毎日の喫煙欲求の変化をグラフとして可視化するものがある（特許文献３参照）。
【特許文献１】  特開２００６−２５９９７７号公報
【特許文献２】  特開２００６−１９００１４号公報
【特許文献３】  特開２０１０−４２２２３号公報
【発明の開示】
【発明が解決しようとする課題】
【０００３】  タバコ代を貯金する方法やタバコのパッケージには健康への影響などを記載するなど、禁煙への意欲向上は重要である。喫煙の苦しさがいつまで続くのか、禁煙は順調に進捗しているのか、これでよいのかというゴールの見えない不安や疑問が禁煙者には付きまとう。
また、禁煙には喫煙欲求に対する忍耐力が不可欠であり、この忍耐力が高まれば禁煙に付きまとう離脱症状の克服に役立つ。しかし、忍耐力を高めるための訓練方法は無かった。
医療の現場では、体重や血圧など共通の評価尺度が存在し、その評価尺度は患者の自己管理や医師による診断や指導に利用されている。同様に、喫煙欲求に対する耐性能力を計測することは禁煙治療にも有効である。しかし、公平な判断を下すための計測・数値化する試みはなされてこなかった。
本発明は、以上の問題点を解決するためになされたものである。
【課題を解決するための手段】
【０００４】  スマートフォンのアプリケーションに秒数カウントのためのスタートボタンとストップボタンを設ける。また、画面に経過秒数を示す数字表示とゲージを設ける。そして、禁煙忍耐力表を用いて、経過秒数データを記録、計算、比較し、経過秒数を忍耐力に変換する方程式を用いて、数値の推移やグラフを提示する機能を設ける。
以上の構成による禁煙を支援する装置。
【発明の効果】
【０００５】  本発明で、禁煙最大の課題である喫煙欲求への忍耐力を向上させることができる。人間には向上心があるので、カウント中も向上したいという心理が働く。このため、さらに禁煙へのモチベーションは高まり数値は改善していく。神経伝達物質ドーパミンの不足により喫煙欲求が起こる。忍耐力は常に向上するため、利用者は成功体験を味わう事になる。成功体験はドーパミンの分泌を促進するため、ドーパミン不足による喫煙欲求を軽減する。
また、喫煙欲求は通常３分以内に消滅する。つまり、カウント画面を確認しながらカウントを唱和する行為に集中している間に喫煙欲求は消滅するのである。
喫煙欲求は喫煙の癖であり、繰り返し深く禁煙に注目することで、喫煙の癖を改善できる。この発明ではスマートフォンカウント画面を確認しながらカウントを唱和することで、大脳の視覚野、聴覚野、言語野、運動野を刺激し、情報統合作業が行われるので、大脳が活性化して、深く禁煙に注目することができる。
これにより、喫煙欲求に対する忍耐力が強まり、禁煙達成の確率を向上させることができる。
【発明を実施するための最良の形態】
【０００６】  以下、本発明の実施の形態を説明する。
（イ）スマートフォンに（１）カウントスタートボタン、（２）カウントストップボタン      、（３）経過秒数カウント画面、（４）カウントゲージを設ける。
（ロ）禁煙忍耐力表に（５）年月日欄、（６）禁煙欲求解消までの秒数欄、（７）禁煙欲      求発生回数欄、（８）忍耐力欄を設ける。
（ハ）禁煙忍耐力グラフの縦軸に（９）忍耐力、横軸に（１０）年月日を設ける。
本発明は以上のような構造である。
本発明を使用する場合、喫煙欲求が起こった都度、（イ）スマートフォンのアプリケーションを立ち上げ、（１）カウントスタートボタンをタッチすると（３）経過秒数カウント画面と（４）カウントゲージに経過秒数が表示される。同時にスピーカーより音声カウントが流れる。利用者は、画面を目視しつつ、カウント音声に合わせ唱和する。
（ロ）禁煙忍耐力表の（５）年月日欄に当日の年月日が自動的に入る。（６）禁煙欲求解消までの秒数欄には、当日カウントされた秒数の総和が計算されて入る。また、当日、禁煙欲求が発生した回数が（７）禁煙欲求発生回数欄に自動集計される。（禁煙欲求解消までの秒数＋禁煙欲求解消までの秒数の正負逆転した数値）／禁煙欲求解消までの秒数×１００、により計算した数値が忍耐力であり、（８）忍耐力欄に表示される。
例えば、（ロ）禁煙忍耐力表の１１月１日を見ると、禁煙欲求解消までの秒数４００であり、禁煙欲求解消までの秒数の正負逆転した数値は−４００となる。これを方程式に代入すると、（４００＋（−４００））／４００×１００＝０となる。また、１１月７日は、（４００＋（−３２０））／４００×１００＝２０となる。
こうして得られた毎日の忍耐力をグラフ化したものが（ハ）禁煙忍耐力グラフである。
【図面の簡単な説明】
【０００７】
【図１】  スマートフォン
【図２】  入力項目
【図３】  問題解決表
【符号の説明】
【０００８】（１）カウントスタートボタン、（２）カウントストップボタン、（３）経過秒数カウント画面、（４）カウントゲージ、（５）年月日欄、（６）禁煙欲求解消までの秒数欄、（７）禁煙欲求発生回数欄、（８）忍耐力欄、（９）忍耐力、（１０）年月日
（Ａ）スマートフォン
（Ｂ）禁煙忍耐力表
（Ｃ）禁煙忍耐力グラフ
【図１】
2016081487.tif 000003
【図２】
2016081487.tif 000004
【図３】
2016081487.tif 000005